(57)【要約】【課題】クリップ部の楽器への取り付け位置にかかわらず、表示部をその上下方向を正しくして配置することができるとともに、楽器の種類毎に適したクリップ部を用いることができる音楽用電子機器を提供する。【解決手段】所定の情報を表示する表示部４２を備えた調律装置本体４０と、該調律装置本体４０を楽器に装着するクリップ部１０とを備えた調律装置１において、クリップ部１０に、調律装置本体４０が表示部４２を表面に向けた状態で挿入されて該調律装置本体４０を着脱可能に保持する保持ケース５０を設け、調律装置本体４０が、その挿入方向の一端部４６ａ及び他端部４６ｂのいずれからも保持ケース５０に挿入可能となるように構成する。【選択図】図１
2010164710.tif 000002
【特許請求の範囲】
【請求項１】
所定の情報を表示する表示部を備えた電子機器本体と、該電子機器本体を楽器に装着する一対の板材を有するクリップ部とを備えた音楽用電子機器において、
前記クリップ部が、前記電子機器本体が前記表示部を表面に向けた状態で挿入されて該電子機器本体を着脱可能に保持する保持ケースを備え、
前記電子機器本体が、その挿入方向の一端部及び他端部のいずれからも前記保持ケースに挿入可能とされていることを特徴とする音楽用電子機器。
【請求項２】
前記電子機器本体が、前記挿入方向に延びる一対の側面を有し、該側面には前記一端部と前記他端部とにわたって延びる案内溝がそれぞれ形成され、
前記保持ケースが、該保持ケースに挿入される前記電子機器本体の各側面と接する一対の側板を備え、これら側板の互いに対向する内面のそれぞれに、前記電子機器本体の挿入方向に延びて前記案内溝に係合するガイドレールが設けられ、
前記電子機器本体が前記保持ケースに前記一端部又は前記他端部から挿入される際に、前記ガイドレールが前記案内溝に係合することを特徴とする請求項１に記載の音楽用電子機器。
【請求項３】
前記板材における前記楽器との当接面側に、前記楽器の操作により生じた振動を検知する振動センサが配置され、
前記保持ケース内に、前記振動センサと配線によって接続された出力接点部が設けられ、
前記電子機器本体に、前記出力接点部と接することで前記振動センサの信号が入力される入力接点部が少なくとも一つ設けられ、
前記電子機器本体を前記一端部及び前記他端部のいずれから前記保持ケースに挿入しても、少なくとも一つの入力接点部が前記出力接点部に接することを特徴とする請求項１又は２に記載の音楽用電子機器。
【請求項４】
前記電子機器本体の前記一端部側及び前記他端部側の両方に前記入力接点部が設けられ、
前記電子機器本体を前記一端部から前記保持ケースに挿入した際には該一端部側の前記入力接点部が前記出力接点部に接触するとともに、
前記電子機器本体を前記他端部から前記保持ケースに挿入した際には該他端部側の前記入力接点部が前記出力接点部に接触するように構成されていることを特徴とする請求項３に記載の音楽用電子機器。
【請求項５】
前記入力接点部が前記電子機器本体における前記一端部と前記他端部の中間位置に１つ設けられ、
前記電子機器本体を前記一端部及び前記他端部のいずれから前記保持ケースに挿入しても、前記入力接点部が同一の前記出力接点部に接触するように構成されていることを特徴とする請求項３に記載の音楽用電子機器。
【請求項６】
前記クリップ部が、装着される前記楽器の種類に応じた識別部を備え、
前記電子機器本体が前記クリップ部の前記保持ケースに挿入された際に当該クリップ部が装着される前記楽器を前記識別部により判別して該楽器に応じた処理を行うことを特徴とする請求項３から５のいずれか一項に記載の音楽用電子機器。
【請求項７】
前記保持ケース内の前記出力接点部の位置が前記クリップ部毎に異なり、
前記電子機器本体に、異なる位置に配置された前記出力接点部のそれぞれに一対一の関係で接する複数の前記入力接点部が設けられ、
前記電子機器本体が前記保持ケースに挿入された際に前記出力接点部と接する前記入力接点部の位置でもって前記楽器の種類を判別することを特徴とする請求項６に記載の音楽用電子機器。
【発明の詳細な説明】
【技術分野】
【０００１】
本発明は、音楽の演奏時（演奏開始前）や練習時に用いられる調律装置やメトロノーム等の音楽用電子機器に関するものである。
【背景技術】
【０００２】
従来から、音楽の演奏時や練習時に用いられる音楽用電子機器が知られており、その一例としては、任意の音を入力してその音高情報を基準として調律を行う調律装置が挙げられる。
【０００３】
この調律装置は、楽器に直接取り付けて楽器から発生した音の調律状態を調律装置本体の表示部に表示をするものであり、従来の調律装置は、調律対象である楽器から発せられる音を効率良く感知する場所を探りながら設置する必要があった。調律対象が金管楽器の場合、ベル付近の発音側が最も効率の良い採音ができる位置であるが、この位置に調律装置を設置すると、調律装置本体の表示面がベルに隠れてしまうという問題があった。このような問題を解消するために、楽器の発音部近傍を挟持するクリップ部と、調律した結果を表示する表示面を備えた調律装置本体との間に回動可能な継手を設け、表示面が演奏者から視認し易い位置に配置可能な調律装置が提案されている（例えば、特許文献１参照）。
【先行技術文献】
【特許文献】
【０００４】
【特許文献１】特開２００３−２５５９３２号公報
【発明の概要】
【発明が解決しようとする課題】
【０００５】
ところで、上記特許文献１の調律装置においては、クリップ部と調律装置本体とが屈曲可能な継ぎ手によって接続されているものの、調律装置本体の表示部の向きを自由に変更することはできず、クリップの楽器への取り付け位置によっては表示部が反転した状態で設置される。
このように表示部が反転状態となると、特にセント表示の場合には音の高低が逆方向に表示されるため、楽器から生じる音が基準音に対して高いのか低いのかが分かりにくいという問題があった。
【０００６】
一方、クリップ部は楽器の種類に適した形状のものを採用することが好ましい。ところが、従来の調律装置においては、クリップ部と調律装置本体とが分離不能に連結されているため、クリップ部のみを交換することはできず、調律装置全体を交換しなければならなかった。
【０００７】
この発明はこのような課題に鑑みてなされたものであって、クリップ部の楽器への取り付け位置にかかわらず、表示部をその上下方向を正しくして配置することができるとともに、楽器の種類毎に適したクリップ部を用いることができる音楽用電子機器を提供することを目的とする。
【課題を解決するための手段】
【０００８】
上記課題に鑑みて、本発明は以下の手段を提案している。
即ち、本発明に係る音楽用電子機器は、所定の情報を表示する表示部を備えた電子機器本体と、該電子機器本体を楽器に装着する一対の板材を有するクリップ部とを備えた音楽用電子機器において、前記クリップ部が、前記電子機器本体が前記表示部を表面に向けた状態で挿入されて該電子機器本体を着脱可能に保持する保持ケースを備え、前記電子機器本体が、その挿入方向の一端部及び他端部のいずれからも前記保持ケースに挿入可能とされていることを特徴とする  
【０００９】
このような特徴の音楽用電子機器によれば、電子機器本体を、クリップ部の保持ケースに対して一端側から挿入した場合であっても、あるいは他端側から挿入した場合であっても、該電子機器本体を保持ケースによって保持することができる。したがって、クリップ部の楽器への取り付け位置によって表示部が反転状態となってしまう場合には、一旦電子機器本体を保持ケースから分離してそれまでとは逆の端部から、即ち、一端部から挿入されていた場合には他端部から、他端部から挿入されていた場合には一端部から電子機器本体を保持ケースに挿入することによって、表示部の上下方向を正しい状態で設置することができる。
また、このようにして電子機器本体がクリップ部に着脱可能とされているため、同一の電子機器本体を異なる種類のクリップ部に用いることができる。したがって、楽器の種類毎に適したクリップ部を任意に用いることが可能となる。
【００１０】
また、本発明に係る音楽用電子機器は、前記電子機器本体が、前記挿入方向に延びる一対の側面を有し、該側面には前記一端部と前記他端部とにわたって延びる案内溝がそれぞれ形成され、前記保持ケースが、該保持ケースに挿入される前記電子機器本体の各側面と接する一対の側板を備え、これら側板の互いに対向する内面のそれぞれに、前記電子機器本体の挿入方向に延びて前記案内溝に係合するガイドレールが設けられ、前記電子機器本体が前記保持ケースに前記一端部又は前記他端部から挿入される際に、前記ガイドレールが前記案内溝に係合することを特徴とする。
【００１１】
このような特徴の音楽用電子機器によれば、電子機器本体をその一端部及び他端部のいずれから保持ケースに挿入した場合であっても、該電子機器本体を挿入方向に沿って案内することができる。したがって、電子機器本体をスムーズに保持ケースに挿入することができる。
【００１２】
また、本発明に係る音楽用電子機器は、前記板材における前記楽器との当接面側に、前記楽器の操作により生じた振動を検知する振動センサが配置され、前記保持ケース内に、前記振動センサと配線によって接続された出力接点部が設けられ、前記電子機器本体に、前記出力接点部と接することで前記振動センサの信号が入力される入力接点部が少なくとも一つ設けられ、前記電子機器本体を前記一端部及び前記他端部のいずれから前記保持ケースに挿入しても、少なくとも一つの入力接点部が前記出力接点部に接することを特徴とする。
【００１３】
このような特徴の音楽用電子機器によれば、電子機器本体をその一端部及び他端部のいずれから保持ケースに挿入した場合であっても、電子機器本体に振動センサが検知した振動に基づく信号を入力することができる。
【００１４】
また、本発明に係る音楽用電子機器は、前記電子機器本体の前記一端部側及び前記他端部側の両方に前記入力接点部が設けられ、前記電子機器本体を前記一端部から前記保持ケースに挿入した際には該一端部側の前記入力接点部が前記出力接点部に接触するとともに、前記電子機器本体を前記他端部から前記保持ケースに挿入した際には該他端部側の前記入力接点部が前記出力接点部に接触するように構成されているものであってもよい。
【００１５】
このような特徴の音楽用電子機器によれば、一端部及び他端部のそれぞれに設けられた入力接点部のいずれかが出力接点部と接触することにより、一端部及び他端部のいずれから電子機器本体を保持ケースに挿入した場合であっても、該電子機器本体に振動センサの信号を入力することができる。
【００１６】
さらに、本発明に係る音楽用電子機器は、前記入力接点部が前記電子機器本体における前記一端部と前記他端部の中間位置に１つ設けられ、前記電子機器本体を前記一端部及び前記他端部のいずれから前記保持ケースに挿入しても、前記入力接点部が同一の前記出力接点部に接触するように構成されていることを特徴とする。
【００１７】
このような特徴の音楽用電子機器によれば、単一の入力接点部が、電子機器本体を一端部及び他端部のいずれから保持ケースに挿入した場合であっても出力接点部に接触する。したがって、電子機器本体の挿入方向に関わらず、振動センサによる信号を確実に電子機器本体に入力することができる。
また、電子機器本体の入力接点部の数を１つにすることができるため、電子機器本体の構成の簡略化及びコンパクト化を図ることができる。なお、振動センサが出力する信号は電流の流れる向きに関わらず絶対値として入力されるため、電子機器本体の挿入方向によって表示部に表示される結果が変わることはない。
【００１８】
さらに、本発明に係る音楽用電子機器は、前記クリップ部が、装着される前記楽器の種類に応じた識別部を備え、前記電子機器本体が前記クリップ部の前記保持ケースに挿入された際に当該クリップ部が装着される前記楽器を前記識別部により判別して該楽器に応じた処理を行うことを特徴とする。
【００１９】
このような特徴の音楽用電子機器によれば、電子機器本体をクリップ部の保持ケースに挿入することをもって、電子機器本体が、当該クリップが装着される楽器に応じた処理、例えば、調律の基準設定等を行う。よって、楽器に応じた調律の基準設定等の作業を省くことができ、取り扱いを容易にすることが可能となる。
【００２０】
また、本発明に係る音楽用電子機器は、前記保持ケース内の前記出力接点部の位置が前記クリップ部毎に異なり、前記電子機器本体に、異なる位置に配置された前記出力接点部のそれぞれに一対一の関係で接する複数の前記入力接点部が設けられ、前記電子機器本体が前記保持ケースに挿入された際に前記出力接点部と接する前記入力接点部の位置でもって前記楽器の種類を判別することを特徴とする。
【００２１】
このような特徴の音楽用電子機器によれば、クリップ部毎に異なる位置に配置された出力接点部が上記識別部としての役割を担う。これにより、電子機器本体が、クリップ部を装着する楽器を容易に判別することができる。
【発明の効果】
【００２２】
本発明の音楽用電子機器によれば、電子機器本体をクリップ部に対して着脱可能とし、電子機器本体を一端部及び他端部のいずれからも保持ケースに挿入可能とすることによって、クリップ部の楽器への取り付け位置にかかわらず表示部をその上下方向を正しくして配置することができるとともに、楽器の種類毎に適したクリップ部を用いることが可能となる。
【図面の簡単な説明】
【００２３】
【図１】第１実施形態に係る調律装置の側面図である。
【図２】第１実施形態のクリップ部の側面図である。
【図３】第１実施形態の調律装置本体の側面図である。
【図４】図１のＡ方向矢視図である。
【図５】第１実施形態の調律装置本体を一端部から保持ケースに挿入した調律装置の平面図である。
【図６】第１実施形態の調律装置本体を他端部から保持ケースに挿入した調律装置の平面図である。
【図７】第２実施形態に係る調律装置の側面図である。
【図８】第２実施形態に係る調律装置の作用を説明する図である。
【図９】第２実施形態の第１変形例を説明する図である。
【図１０】第２実施形態の第２変形例を説明する図である。
【発明を実施するための形態】
【００２４】
以下、図面を参照して、本発明の音楽用電子機器の第１実施形態としての調律装置について説明する。図１に示すように、調律装置（音楽用電子機器）１は、クリップ部１０と、調律装置本体（電子機器本体）４０とを有している。
【００２５】
クリップ部１０は、互いに対をなす第１板材２０及び第２板材３０の間に配置されて図示しないねじりコイルバネや板バネを備えたヒンジ部３６の付勢力によって、例えば管楽器やギター等の楽器を挟持することにより、調律装置１を該楽器に取り付けるものである。
【００２６】
図１に示すように、第１板材２０は、矩形平板形状をなす第１板材本体２１を有しており、該第１板材本体２１の長手方向の先端側（図１における右側）には、該第１板材本体２１の先端から上方に向かって傾斜して延在する顎板部２２が一体に形成されている。この顎板部２２の先端部上面には側面視半円状をなして第１板材２０の幅方向（図１における紙面奥行き方向）に延びる下パッド２３が設けられている。  
【００２７】
第２板材３０は、上記第１板材２０の上方に対向配置され、矩形平板がその中間部において下方に凸となるように屈折した形状をなしている。屈折部３１を境界とした第２板材３０の先端側の部分は、上記第１板材２０と平行に延びる挟持板部３２とされており、該挟持板部３２の先端部下面、即ち挟持板部３２の楽器への当接面には、シート状をなす上パッド３３が敷設されている。また、屈折部３１を境界とした後端側の部分は、屈折部３１から後端側に向かうに従って第１板材２０から逃げるように傾斜して延びる逃げ板部３４とされている。
【００２８】
そして、逃げ板部３４の先端部下面と第１板材２０の上面における逃げ板部３４の先端部下面に対向する箇所とが、ヒンジ部３６によって連結されている。
【００２９】
このヒンジ部３６は、第１板材２０及び第２板材３０の長手方向に直交するとともにこれら第１板材２０及び第２板材３０の板面に平行な回転軸３７を有しており、これによって、第１板材２０及と第２板材３０とが対向状態を維持しつつ該回転軸３７を支点として互いに相対回動するようになっている。
【００３０】
このヒンジ部３６は、図示しないねじりコイルバネ等の弾性部材によって第１板材２０と挟持板部３２とを接近させる方向に回動付勢している。これにより、第１板材２０と第２板材３０の挟持板部３２とが近接してクリップ部１０先端が閉じた状態とされ、この際、第２板材３０の先端が第１板材２０の顎板部２２の上面に当接して、第２板材３０の挟持板部３２と第１板材２０とが平行状態に維持される。なお、この状態においては、挟持板部３２の下面と第１板材２０の上面との間にクリアランスが形成される。
また、第２板材３０の逃げ板部３４の後端側と第１板材２０の後端側とを接近させる方向に外力を加えると、挟持板部３２と第１板材２０とが離間し、クリップ部１０先端が開いて楽器を把持可能な状態となる。
【００３１】
このようなクリップ部１０の第２板材３０の上方には、挟持板部３２の上面と逃げ板部３４の上面とに囲われた空間が形成され、該空間が調律装置１の調律装置本体４０が収納される収納スペースとされている。
【００３２】
そして、本実施形態においては、第２板材３０の上方に、調律装置本体４０を保持する保持ケース５０が配設されている。
【００３３】
保持ケース５０は詳しくは図２に示すように、第２板材３０の挟持板部３２の上面上に平行に配置される主底板５１ａと、該主底板５１ａからクリップ部１０先端側に向かうに従って上方に向かって傾斜する傾斜底板５１ｂとからなる底板５１を有しており、該底板５１の幅方向（図２における奥行き方向）両端には上方に向かって延在して互いに対向する一対の側板５２が立設されている。
なお、上記主底板５１ａと傾斜底板５１ｂとがなす角度は、第２板材３０における挟持板部３２と逃げ板部３４とがなす角度を同一とされている。
また、上記側板５２の後端辺５２ａは底板５１から上方に向かうにしたがって先端方向に向かうように傾斜しており、該後端辺５２ａに連続する上辺５２ｂは主底板５１ａと平行に延びている。
さらに、主底板５１ａは側板５２の後端辺５２ａよりもさら後端側に向かって挟持板部３２と平行に延びている。
このような構成の保持ケース５０は、図２に示すように第２板材３０上に配置された状態においては、上方及び後端側が開口した状態とされている。
【００３４】
また、保持ケース５０における一対の側板５２の互いに対向する内面には、図１、図２及び図４に示すように、保持ケース５０内側に向かって突出するとともに該側板５２の上辺に沿って延びるガイドレール５３がそれぞれ設けられている。
さらに、該保持ケース５０における主底板５１ａの下面後端部には、パッド部材５４が下方に向かって突設されている。このパッド部材５４によって、保持ケース５０の主底板５１ａと第２板材３０の挟持板部３２との干渉が回避されている。
【００３５】
このような保持ケース５０は、その傾斜底板５１ｂが連結部材６０を介して第２板材３０の挟持板部３２の上面先端部に連結されている。
【００３６】
該連結部材６０は、第２板材３０及び調律装置本体４０の長手方向に直交するとともにこれら第２板材３０の上面及び保持ケース５０の底板５１に平行な回転軸６１を有している。この回転軸６１を支点として第２板材３０と保持ケース５０とが相対回動可能に構成されている。これによって、保持ケース５０は、主底板５１ａが第２板材３０の上面に沿って配置される収納状態と、主底板５１ａの上面がクリップ部１０先端側を向く立ち上がり状態との間で回動可能とされている。
なお、本実施形態の調律装置１においては、調律装置本体４０が、上記回転軸６１回りに収納状態と立ち上がり状態との間で回動可能とされる他、該回転軸６１と直交し第２板材３０に対して垂直な他の回転軸（図示省略）回りに回動可能とされている。これによって表示部４２の向きを任意に変更することができるようになっている。
【００３７】
調律装置本体４０は、図３に示すように概略船型形状をなし樹脂製からなる筐体４１を備えており、該筐体４１における平坦状の表面全域には、調律器として機能する際の情報が表示される表示部４２が設けられている。この表示部４２としては、例えばメーター、複数のＬＥＤ、ＬＣＤ表示器などが使用される。
【００３８】
上記筐体４１の内部には、電気回路や電池とともに振動センサ（図示省略）が内蔵されている。楽器の演奏時には空気を伝搬する振動が該振動センサによって検知され、この検知に基づく電気信号が信号は増幅回路により所望のレベルの電気信号に増幅されてピッチ抽出手段に入力される。このピッチ抽出手段は、例えば「入力された信号の中で最も周期が長い基本波成分の周期を計測する」というような命令が記憶されているメモリとマイクロコンピュータで実現される。
続いて、このピッチ抽出手段において計測されたピッチと予め設定されている基準ピッチがピッチ誤差検出手段に入力される。このピッチ誤差検出手段は「入力された周波数の差を計算する」という命令が記憶されているメモリとマイクロコンピュータによって実現される。
そして、このピッチ誤差検出手段において計算された周波数偏差の値に応じて、表示部４２に結果が表示される。
【００３９】
また、上記筐体４１は、表示部４２の反対側に位置し該表示部４２と平行をなす主背面４３と、該主背面４３の長手方向両端側から広がるようにそれぞれ表面側に傾斜して延びる一対の傾斜背面４４ａ、４４ｂとを有している。
この傾斜背面４４ａ、４４ｂと主背面４３とのそれぞれがなす角度は、上記第２板材３０の挟持板部３２と逃げ板部３４とのなす角度、保持ケース５０の主底板５１ａと傾斜底板５１ｂとがなす角度と同一に形成されている。
また、本実施形態の調律装置本体４０においては、一方の傾斜背面（図３における右側）４４ａと表示部４２とを接続する面が一端部４６ａとされるとともに、該一端部４６ａの反対側に位置して他方の傾斜背面（図３における左側）４４ｂと表示部４２とを接続する面が他端部４６ｂとされている。また、調律装置本体４０は、一端部４６ａと他端部４６ｂとの中央に位置し表示部４２及び主背面４３に直交して幅方向に延びる面Ｓを境として略鏡面対象に形成されている。
【００４０】
さらに、この調律装置本体４０の略台形状をなす側面４７には、上記一端部４６ａと他端部４６ｂとにわたって表示部４２及び主背面４３と平行に延びる案内溝４８が形成されている。なお、該案内溝４８の延在方向が、調律装置本体４０の保持ケース５０への挿入方向とされている。
【００４１】
このような構成の調律装置本体４０は、その一端部４６ａ又は他端部４６ｂから保持ケース５０内に挿入される。より詳しくは、まず収納状態の保持ケース５０における底板５１の幅方向両端側に側板５２が形成されていない領域に、調律装置本体４０を表示部４２が上方を向く状態で載置する。この際、調律装置本体４０の一端部４６ａ又は他端部４６ｂがクリップ部１０先端側を向いた状態とする。
【００４２】
そして、この状態から調律装置本体４０をクリップ部１０先端側に向かってスライド移動させると、図４に示すように、保持ケース５０のガイドレール５３が調律装置本体４０の案内溝４８に係合する。この状態でさらに調律装置本体４０をクリップ部１０先端側にスライドさせると、調律装置本体４０はガイドレール５３に案内されて挿入方向に沿って移動する。そして、調律装置本体４０の先端側を向く傾斜背面４４ａ又は傾斜背面４４ｂが保持ケースの傾斜底板５１ｂに当接したところで調律装置本体４０が停止する。これにより、図５及び図６に示すように、該調律装置本体４０がその一端部４６ａ又は他端部４６ｂをクリップ部１０先端側に向けた状態で保持ケース５０に保持された状態となる。
【００４３】
そして、調律装置１を使用する際には、クリップ部１０の第１板材２０と挟持板部３２とによって楽器を挟み込み、保持ケース５０を立ち上がり状態へと回動させる。これにより、調律装置本体４０の表示部４２がクリップ部１０先端側を向き、視認し易くなる。その後、楽器が演奏されると、その振動が調律装置本体４０に内蔵された振動センサによって検知され、表示部４２に情報が表示される。
【００４４】
本実施形態の音楽用電子機器においては、上述のように調律装置本体４０をクリップ部１０の保持ケース５０に対して一端部４６ａから挿入した場合であっても、あるいは他端部４６ｂから挿入した場合であっても、該調律装置本体４０が保持ケース５０に保持される。
したがって、クリップ部１０の楽器への取り付け位置によって表示部４２が反転状態となってしまう場合には、一旦調律装置本体４０を保持ケース５０から分離してそれまでとは逆の端部から、即ち、一端部４６ａから挿入されていた場合には他端部４６ｂから、他端部４６ｂから挿入されていた場合には一端部４６ａから電子機器本体を保持ケース５０に挿入することによって、表示部４２の上下方向を正しい状態で設置することができる。よって、表示部４２の表示がメータ表示やセント表示の場合であっても、楽器から生じる音の基準音に対する高低の判断を容易に行うことができる。
【００４５】
また、このようにして調律装置本体４０がクリップ部１０に着脱可能とされた構成のため、同一の調律装置本体４０を異なる種類のクリップ部１０に用いることができる。したがって、楽器の種類毎に適したクリップ部１０を任意に用いることが可能となる。
【００４６】
次に、本発明の第２実施形態の調律装置１００について図７及び図８を参照して説明する。なお、図７において図１と同様の構成要素には、同一の符号を付して詳細な説明を省略する。
図７に示すように、この第２実施形態の調律装置１００は、第１実施形態の調律装置１の挟持板部３２の先端部下面、即ち挟持板部３２の楽器への当接面に上パッド３３が設けられていたのに代えて、当該箇所に振動センサ７０が設けられている。これによって、クリップ部１０により楽器を把持した際には、振動センサ７０が直接的に楽器に接することになる。
【００４７】
この振動センサ７０には、該振動センサ７０が検知した振動に基づく信号を送出する配線の一端が接続されている。この該配線は連結部材６０内を通ってその他端側が保持ケース５０の底板５１上面に設けられた出力接点部８０（図８参照）に接続されている。したがって、振動センサ７０の信号は出力接点部８０へと送出される。
【００４８】
この出力接点部８０は、保持ケース５０の底部の先端側（図８における右側）おいて、保持ケース５０の幅方向（図８における上下方向）に並設された２つの出力接点８１から構成されている。
【００４９】
また、調律装置本体４０の背面における一端部４６ａ側の位置及び他端部４６ｂ側の位置には、調律装置本体４０に内蔵された電気回路に接続された入力接点部９０ａ、９０ｂがそれぞれ設けられている。この入力接点部９０ａ、９０ｂは、調律装置本体４０の幅方向（図８の上下方向）に並設された２つの入力接点９１からそれぞれ構成されている。
そして、図８（ａ）に示すように、調律装置本体４０がその一端部４６ａから保持ケース５０に挿入されて保持された際には、該一端部４６ａ側の入力接点部９０ａが出力接点部８０に接し、図８（ｂ）に示すように調律装置本体４０がその他端部４６ｂから保持ケース５０に挿入されて保持された際には、該他端部４６ｂ側の入力接点部９０ｂが出力接点部８０に接するようになっている。
【００５０】
これによって、調律装置本体４０をその一端部４６ａ及び他端部４６ｂのいずれから保持ケース５０に挿入した場合であっても、調律装置本体４０に振動センサ７０が検知した振動に基づく信号を入力し、その結果を表示部４２に表示することができる。
【００５１】
以上、本発明の音楽用電子機器の実施の形態である調律装置１、１００について詳細に説明したが、本発明の技術的思想を逸脱しない限り、これらに限定されることはなく、多少の設計変更等も可能である。
【００５２】
例えば、第２実施形態の調律装置１００の第１の変形例として、図９に示す構成のものであってもよい。この変形例においては、調律装置本体４０の背面における一端部４６ａと他端部４６ｂの中間位置に１つの入力接点部９０が設けられている。また、保持ケース５０の底板５１上面における、調律装置本体４０を保持した際の該調律装置本体４０の一端部４６ａと他端部４６ｂとの中間位置に対応する箇所には、１つの出力接点部８０が設けられている。
【００５３】
このような構成とすることにより、図９（ａ）（ｂ）に示すように、単一の入力接点部９０が調律装置本体４０を一端部４６ａ及び他端部４６ｂのいずれから保持ケース５０に挿入した場合であっても出力接点部８０に接触する。したがって、調律装置本体４０の挿入方向に関わらず、振動センサに７０よる信号を確実に調律装置本体４０に入力することができる。
また、調律装置本体４０の入力接点部９０の数を１つにすることができるため、調律装置本体４０の構成の簡略化及びコンパクト化を図ることができる。なお、振動センサ７０が出力する信号は電流の流れる向きに関わらず絶対値として入力されるため、調律装置本体４０の挿入方向によって表示部４２に表示される結果が変わることはない。
【００５４】
また、第２実施形態の調律装置１００の第２の変形例として、図１０に示す構成のものであってもよい。
この第２の変形例においては、図１０（ｂ）〜（ｃ）に示すように、装着する楽器の種類に応じた複数のクリップ部１０が準備されている。また、これらクリップ部１０においては、図１０（ｂ）〜（ｄ）に例示するように、保持ケース５０内の出力接点部８０の位置がクリップ部１０毎に異なるものとされている。
さらに、調律装置本体４０の一端部４６ａ側及び他端部４６ｂ側には、図９（ａ）に示すように、クリップ部１０毎に異なる位置に配置された出力接点部８０のそれぞれに一対一の関係で接する複数の入力接点部９０が設けられている。
【００５５】
調律装置本体４０が保持ケース５０に挿入された際には、当該保持ケース５０の出力接点部８０と接する入力接点部９０の位置でもってクリップ部１０が装着される楽器の種類を判別する。即ち、クリップ部１０毎に異なる位置に配置された出力接点部８０が装着される楽器の種類に応じた識別部の役割を担っている。そして、上記判別に基づいて調律装置本体４０が当該楽器に対応する処理、例えば、調律の基準設定等を行う構成とされている。これにより、楽器に応じた調律の基準設定等の作業を省くことができ、取り扱いを容易にすることが可能となる。
【符号の説明】
【００５６】
１    調律装置
１０  クリップ部
２０  第１板材（板材）
３０  第２板材（板材）
４０  調律装置本体
４２  表示部
４３  主背面
４４ａ       傾斜背面
４４ｂ       傾斜背面
４６ａ       一端部
４６ｂ       他端部
４７  側面
４８  案内溝
５０  保持ケース
５１  底板
５２  側板
５３  ガイドレール
６０  連結部材
８０  出力接点部
９０  入力接点部
９０ａ       入力接点部
９０ｂ       入力接点部
１００       調律装置
【図１】
2010164710.tif 000003
【図２】
2010164710.tif 000004
【図３】
2010164710.tif 000005
【図４】
2010164710.tif 000006
【図５】
2010164710.tif 000007
【図６】
2010164710.tif 000008
【図７】
2010164710.tif 000009
【図８】
2010164710.tif 000010
【図９】
2010164710.tif 000011
【図１０】
2010164710.tif 000012